(57)【特許請求の範囲】
【請求項１】
第１コネクタと第２コネクタからなる医療用コネクタの脱着を行なうため、
第１コネクタに第１コネクタキャップが挿入された状態で、第１コネクタと第１コネクタキャップを夫々保持可能な第１コネクタホルダ及び第１キャップホルダと、
第２コネクタに第２コネクタキャップが挿入された状態で、第２コネクタと第２コネクタキャップを夫々保持可能な第２コネクタホルダ及び第２キャップホルダと、
を備えた医療用コネクタの手動式脱着装置であって、
第１コネクタ及び第１コネクタキャップを第１コネクタホルダ及び第１キャップホルダから取り出すための第１イジェクト手段と、
第２コネクタ及び第２コネクタキャップを第２コネクタホルダ及び第２キャップホルダから取り出すための第２イジェクト手段と、
第１イジェクト手段と第２イジェクト手段を作動させるためのイジェクト操作部と、を備え、
第１コネクタホルダと第１キャップホルダの少なくとも一方に、第１イジェクト手段を構成する突出部が突出するための穴を設けると共に、
第２コネクタホルダと第２キャップホルダの少なくとも一方にも、第２イジェクト手段を構成する突出部が突出するための穴を設け、
これら突出部によりコネクタやコネクタキャップを上方に押し出すように構成したことを特徴とする医療用コネクタの手動式脱着装置。
【請求項２】
第１コネクタと第２コネクタからなる医療用コネクタの脱着を行なうため、
第１コネクタに第１コネクタキャップが挿入された状態で、第１コネクタと第１コネクタキャップを夫々保持可能な第１コネクタホルダ及び第１キャップホルダと、
第２コネクタに第２コネクタキャップが挿入された状態で、第２コネクタと第２コネクタキャップを夫々保持可能な第２コネクタホルダ及び第２キャップホルダと、
を備えた医療用コネクタの手動式脱着装置であって、
第１コネクタ及び第１コネクタキャップを第１コネクタホルダ及び第１キャップホルダから取り出すための第１イジェクト手段と、
第２コネクタ及び第２コネクタキャップを第２コネクタホルダ及び第２キャップホルダから取り出すための第２イジェクト手段と、
第１イジェクト手段と第２イジェクト手段を作動させるためのイジェクト操作部と、
第１イジェクト手段を構成する第１突出部及び第２突出部と、
第２イジェクト手段を構成する第３突出部及び第４突出部と、
第１コネクタホルダと第１キャップホルダの夫々に形成され、第１突出部及び第２突出部が突出するための穴と、
第２コネクタホルダと第２キャップホルダの夫々に形成され、第３突出部及び第４突出部が突出するための穴と、を備えていることを特徴とする医療用コネクタの手動式脱着装置。
【請求項３】
イジェクト操作部と、このイジェクト操作部の動きを第１イジェクト手段及び第２イジェクト手段に伝達するための伝達部材を備えたことを特徴とする請求項１又は２に記載の医療用コネクタの手動式脱着装置。
【発明の詳細な説明】
【技術分野】
【０００１】
本発明は、好適には腹膜透析に用いられる医療用コネクタの手動式脱着装置のイジェクト操作部の構成に関するものである。
【背景技術】
【０００２】
腹膜透析法（ＣＡＰＤ）は腹膜を透析膜として使用するものであり、患者の腹腔内に植え込んだ腹腔カテ−テルに透析液の入ったバッグ付きの腹膜透析セットを連結して透析液を腹腔内に注入し、一定時間貯留した後に排液するものである。透析液を一定時間貯留して、透析液と腹膜内に分布する毛細血管の血液との間に生じる溶質濃度や浸透圧の格差によって、老廃物や水を除去して血液浄化を行う。
【０００３】
腹膜透析は上記のように排液、バッグ交換、透析液注入、貯留のサイクルからなり、患者は１日にこのサイクルを３〜５回と頻繁に行わなくてはならず、慣れない者にとっては大変面倒な操作である。特に問題となるのは、腹腔カテ−テルに連結したエキステンションチュ−ブ先端に設けられた患者側コネクタ（第１コネクタ）と透析液バッグ付きセットの透析液側コネクタ（第２コネクタ）の脱着であり、脱着の際のコネクタ−への細菌付着は腹膜炎の原因となるので、充分な注意が必要である。またコネクタ−の脱着時の問題は細菌付着だけではなく、眼や手の不自由な患者の手技の誤操作によって、接続ミスや液漏れ等の重大な事態を引き起こす恐れがある。
【０００４】
かかる問題を解消するための医療用コネクタの手動式脱着装置が下記特許文献１により提案されている。この手動脱着装置を用いた場合のコネクタの脱着手順を図１８に概念的に示す。図１８（ａ）は、患者側コネクタと透析液側コネクタを接続する前の準備段階を示し、まず、患者側３００の腹腔に挿入されたカテーテルの先端には患者側コネクタ１００が設けられ、コネクタキャップ１０１がされている。一方、透析側にはＹ字チューブの先端に透析液側コネクタ２００が設けられ、コネクタキャップ２０１がされている。Ｙ字チューブの二股に分岐した先には、透析液バッグ３０１と排液バッグ３０２が接続され、バルブによりいずれか一方が患者側と接続される。
【０００５】
図１８（ａ）のセット状態では、患者側コネクタ１００とコネクタキャップ２０１が並列配置されると共に、コネクタキャップ１０１と透析液側コネクタ２００も並列配置される。
【０００６】
このセット状態から、コネクタキャップ１０１と患者側コネクタ１００を分離するために、コネクタキャップ１０１を回転させると共に両者を引き離す。これと同時に、コネクタキャップ２０１と透析液側コネクタ２００を分離するために、透析液側コネクタ２００を回転させると共に両者を引き離す。これを図１８（ｂ）に示す。
【０００７】
次に、図１８（ｃ）に示すように、患者側コネクタ１００とコネクタキャップ２０１を図の矢印方向にスライド移動させて、患者側コネクタ１００と透析液側コネクタ２００が互いに向かい合うようにする。ついで、図１８（ｄ）に示すように、患者側コネクタ１００と透析液側コネクタ２００を軸線方向に沿って移動させて接近させ、透析液側コネクタ２００を回転することで、両者が連結される。この連結状態で、空の排液バッグ３０２に患者の腹腔内に貯留した透析液を排出する。そして、バルブを切り換えることで、透析液バッグ３０１内の透析液を腹腔内に注入する。
【０００８】
透析液の注入が終了すると、これまでとは逆の手順をたどり、再び、コネクタキャップを夫々のコネクタにかぶせる。この場合、コネクタキャップは新しいものを用意してセットしておく。
【０００９】
以上のように、コネクタ同士を接続するまでに図１８のような操作を行う必要があり、特許文献１では、ハンドル（操作部に相当）を１８０゜回転操作する場合に、この回転操作の領域の第１段階で（ａ）→（ｂ）、第２段階で（ｂ）→（ｃ）、第３段階で（ｃ）→（ｄ）の操作を行なえるような機構が組み込まれている。
【００１０】
【特許文献１】特許第３４５５７０１号
【発明の開示】
【発明が解決しようとする課題】
【００１１】
上記のような一連の作業を行うためには、まず最初に、患者側コネクタ１００とコネクタキャップ１０１、透析液側コネクタ２００とコネクタキャップ２０１を夫々所定のホルダに装着し、透析が終了すると、これらコネクタやコネクタキャップをホルダから取り外す必要がある。この取り外し作業は、患者自身の操作により行なわれるものであるが、患者の中には、眼や手の不自由な患者もいるため、必ずしも簡易な操作ではない。
【００１２】
本発明は上記実情に鑑みてなされたものであり、その課題は、コネクタやコネクタキャップをホルダから取り出しやすくした医療用コネクタの手動式脱着装置を提供することである。
【課題を解決するための手段】
【００１３】
上記課題を解決するため本発明に係る医療用コネクタの手動式脱着装置は、
第１コネクタと第２コネクタからなる医療用コネクタの脱着を行なうため、
第１コネクタに第１コネクタキャップが挿入された状態で、第１コネクタと第１コネクタキャップを夫々保持可能な第１コネクタホルダ及び第１キャップホルダと、
第２コネクタに第２コネクタキャップが挿入された状態で、第２コネクタと第２コネクタキャップを夫々保持可能な第２コネクタホルダ及び第２キャップホルダと、
を備えた医療用コネクタの手動式脱着装置であって、
第１コネクタ及び第１コネクタキャップを第１コネクタホルダ及び第１キャップホルダから取り出すための第１イジェクト手段と、
第２コネクタ及び第２コネクタキャップを第２コネクタホルダ及び第２キャップホルダから取り出すための第２イジェクト手段と、
第１イジェクト手段と第２イジェクト手段を作動させるためのイジェクト操作部と、
を備えていることを特徴とするものである。
【００１４】
この構成による医療用コネクタの手動式脱着装置の作用・効果を説明する。コネクタの脱着を行う場合には、第１コネクタに第１コネクタキャップが挿入された状態で、第１コネクタホルダ及び第１キャップホルダに装着する。また、第２コネクタに第２コネクタキャップが挿入された状態で、第２コネクタホルダ及び第２キャップホルダに装着する。また、第１イジェクト手段は、第１コネクタ及び第１コネクタキャップを夫々第１コネクタホルダ及び第１キャップホルダから取り出すことができる。第２イジェクト手段は、第２コネクタ及び第２コネクタキャップを夫々第２コネクタホルダ及び第２キャップホルダから取り出すことができる。イジェクト操作部を操作することで、これらイジェクト手段を作動させることで、各コネクタ及びコネクタキャップを取り出すことができる。これにより、例えば、身体の不自由な患者であっても、コネクタやコネクタキャップをホルダから容易に取り出すことができる。その結果、コネクタやコネクタキャップをホルダから取り出しやすくした医療用コネクタの手動式脱着装置を提供することができる。
【００１５】
本発明はさらに、第１コネクタホルダと第１キャップホルダの少なくとも一方に、第１イジェクト手段を構成する突出部が突出するための穴を設けると共に、
第２コネクタホルダと第２キャップホルダの少なくとも一方にも、第２イジェクト手段を構成する突出部が突出するための穴を設け、
これら突出部によりコネクタやコネクタキャップを上方に押し出すように構成したことを特徴とするものである。
【００１６】
この構成によると、コネクタやコネクタキャップのいずれか一方もしくは両方が突出部により上方に押し出されるように構成されている。これにより、コネクタやコネクタキャップをホルダから取り出しやすい状態にすることができる。
【００１７】
本発明はさらに、第１イジェクト手段を構成する第１突出部及び第２突出部と、
第２イジェクト手段を構成する第３突出部及び第４突出部と、
第１コネクタホルダと第１キャップホルダの夫々に形成され、第１突出部及び第２突出部が突出するための穴と、
第２コネクタホルダと第２キャップホルダの夫々に形成され、第３突出部及び第４突出部が突出するための穴と、を備えたことを特徴とするものである。
【００１８】
この構成によると、第１コネクタと第１コネクタキャップは、第１イジェクト手段の第１突出部と第２突出部により押し上げられる。第２コネクタと第２コネクタキャップは、第２イジェクト手段の第３突出部と第４突出部により押し上げられる。これにより、確実にコネクタとコネクタキャップの両方をホルダから脱出させることができる。
【００１９】
本発明において、イジェクト操作部と、このイジェクト操作部の動きを第１イジェクト手段及び第２イジェクト手段に伝達するための伝達部材を備えたことが好ましい。
【００２０】
この構成によると、イジェクト操作部を操作することで、その動きが伝達部材を介して第１イジェクト手段と第２イジェクト手段の両方に伝達されるため、効率よく全てのコネクタとコネクタキャップをホルダから脱出させることができる。
【発明を実施するための最良の形態】
【００２１】
本発明に係る医療用コネクタの手動式脱着装置の好適な実施形態を図面を用いて説明する。まず、医療用コネクタの好適な実施形態を説明する。
【００２２】
＜医療用コネクタ＞
冒頭で説明したように、本発明に係る医療用コネクタは、好適には腹膜透析法（ＣＡＰＤ）で使用されるものであり、患者側コネクタと透析液側コネクタにより構成される。これらコネクタの構成を図１に示す。
【００２３】
図１（ａ）は、患者側の第１コネクタ１の構成を示している。第１コネクタ１は、チューブ１０の先端側にコネクタ接続部１１が設けられる。コネクタ接続部１１における接続操作を行なうためのつまみ部１２と、つまみ部１２とコネクタ接続部１１の境界に位置するフランジ１３が設けられる。コネクタ接続部１１には、Ｏリング１４とカム溝１５が設けられている。Ｏリング１４を設けることで、透析液の漏洩などを防止する。つまみ部１２には、円周方向に２箇所、操作用の突出部１２ａが設けられる。
【００２４】
カム溝１５を円周方向に沿って展開すると、図１（ｂ）に示すような図になる。カム溝１５は、円周方向に同じものが１８０゜間隔で２箇所形成されている。カム溝１５は、第１領域１５ａと第２領域１５ｂを有し、第１領域１５ａは円周方向で４５゜の領域を占め、傾斜した溝となっている。第２領域１５ｂも円周方向で４５゜の領域を占め、円周方向に沿った直線溝となっている。
【００２５】
コネクタ接続部１１には、第１コネクタキャップ３を被せることができ、操作用の突出部３０が円周方向に２箇所設けられている。第１コネクタキャップ３の内部には、２箇所、カム溝１５に係合する係合突起３１が設けられている。従って、第１コネクタキャップ３を第１コネクタに被せるときは、係合突起３１をカム溝１５の入口のところに合わせ（図１（ｂ）参照）、第１コネクタキャップ３を回転させることで（第１コネクタ１側を回転させてもよい）、第１コネクタキャップ３が回転すると共に、軸線方向（図１の左右方向）に移動し、第１コネクタ１に第１コネクタキャップ３を被せることができる。図２（ａ）は第１コネクタ１と第１コネクタキャップ３の結合完了状態を示している。
【００２６】
また、第1コネクタキャップ３の外周面にはリング状の第１フランジ３０ａと第２フランジ３０ｂが形成されており、第１キャップホルダに装着した時の位置決めに利用される。第１フランジ３０ａと第２フランジ３０ｂは、ホルダへの位置決めを行なうために所定間隔離れており、第２フランジ３０ｂが挿入側に位置する。
【００２７】
図１（ｃ）は、透析液側の第２コネクタ２の構成を示している。第２コネクタ２は、Ｙ字チューブ２０の先端側にコネクタ接続部２１が設けられる。Ｙ字チューブ２０には、排液バッグと透析液バッグが接続される。コネクタ接続部２１には、円周方向に２箇所、操作用の突出部２１ａが形成される。また、コネクタ接続部２１の外周には、リング状の第１フランジ２１ｂと第２フランジ２１ｃが設けられており、第２コネクタホルダに装着した時の位置決めに利用される。第１フランジ２１ｂと第２フランジ２１ｃは、ホルダへの位置決めを行なうために所定間隔は慣れており、第２フランジ２１ｃが挿入側に位置する。
【００２８】
コネクタ接続部２１には、第２コネクタキャップ４を被せることができる。第２コネクタキャップ４には、つまみ部４０が設けられ、このつまみ部４０の円周方向２箇所には操作用の突出部４０ａが形成されている。第２コネクタキャップ４の先端には、コネクタ接続部２１と連結させるための係合爪４１が２箇所設けられている。
【００２９】
図２（ｂ）は、第２コネクタ２と第２コネクタキャップ４を結合した状態を示すが、コネクタ接続部２１の内部には、係合爪４１の先端が係合する係合溝２２が設けられている。従って、第２コネクタ２と第２コネクタキャップ４を結合するときは、第２コネクタ２の係合溝２２と、第２コネクタキャップ４の係合爪４１の円周方向の位置を合わせ、そのまま軸線方向に沿って第２コネクタキャップ４を挿入することで結合できる。すなわち、第２コネクタ２と第２コネクタキャップ４の結合に際して、回転操作は不要であり、軸線方向の移動のみで着脱可能である。
【００３０】
透析液の交換を行なうときには、患者側の第１コネクタ１の第１コネクタキャップ３を外すと共に、透析液側の第２コネクタ２の第２コネクタキャップ４も外し、第１コネクタ１と第２コネクタ２を連結する。その接続完了状態を図２（ｃ）に示す。第２コネクタ２のコネクタ接続部２１の内部にも、第１コネクタキャップ３と同様に係合突起２３が設けられており、カム溝１５に係合することができる。よって、第２コネクタ２を第１コネクタ１に装着するときの動作は、第１コネクタキャップ３を装着するときの動作（回転操作＋軸線方向の移動）と同じである。
【００３１】
また、第１コネクタキャップ３と第２コネクタキャップ４も互いに装着することができる。第１コネクタキャップ３の内部には、第２コネクタと同様に、第２コネクタキャップ４の係合爪４１と係合する係合溝３２が設けられている。第１・第２コネクタキャップ３，４を結合するときは、回転操作は不要であり、軸線方向のみの操作でよい。
【００３２】
患者側の第１コネクタ１は、透析液の交換時（排出・注入時）において透析液バッグと接続する必要があると共に、次回の透析液の交換までの間に、第１コネクタ１の結合状態が不用意に外れないように保護する必要がある。そこで、第１コネクタ１と第２コネクタ２、及び、第１コネクタ１と第１コネクタキャップ３の脱着操作は、回転操作によるものとした。
【００３３】
また、透析液側の第２コネクタ２の方は、製品の外包材を開封して、患者側の第１コネクタ１と接続するまでの間、保護されていればよく、回転操作による脱着は必要ないため、第２コネクタ２と第２コネクタキャップ４の脱着操作は軸線方向の移動のみとしている。
【００３４】
＜医療用コネクタの手動式脱着装置の構成＞
次に、図１，図２で説明した医療用コネクタの手動脱着装置について説明する。図３は、手動脱着装置の外観構成を示す斜視図であり、図４は、手動脱着装置の開閉蓋を開いた状態を示す斜視図である。図５は、手動脱着装置の開閉蓋を開いた状態を示す平面図である。
【００３５】
手動脱着装置は、外観部品として、本体ケース５と開閉蓋６を備えている。開閉蓋６は、回転軸芯である軸線Ｘ1周りに回転可能に軸支されており、開閉蓋６を開くことにより装置本体上部が露出するように構成される。本体ケース５の側面部に形成された湾曲部５ａと、開閉蓋６の側面部に形成された湾曲部６ａにより、開閉蓋６を閉じた時にスリットＳが形成される。このスリットＳは、第１コネクタ１と第２コネクタ２の脱着を行う時に、第２コネクタ２のY字チューブ２０が移動できるように設けられたものである。このスリットSは、ほぼ円弧状に形成されている。
【００３６】
本体ケース５の前面側には、回転ハンドル形式の操作部７が設けられており、軸芯Ｙ周りに１４５゜回転操作できるように取り付けられている。操作部７の端部には操作つまみ７ａが設けられており、開閉蓋６を閉じて矢印Ａ1方向に操作部７を回転させることで第１コネクタ１と第２コネクタ２の結合を行なうことができ、矢印Ｂ1方向に回転させることで、第１コネクタ２と第２コネクタ２の分離を行なうことができる。また、操作部７は、開閉蓋６を開いた状態では回転操作できないようにロック機構が設けられている。
【００３７】
＜ホルダ構造＞
次に、第１コネクタ１と第２コネクタ２をセットするためのホルダ構造に関して説明する。コネクタ１，２をセットするための各ホルダは、開閉蓋６を開くことで装置本体上部に露出するため、上方から各コネクタ１，２をセットすることができる。
【００３８】
図６は、第１コネクタ１をセットするためのホルダ構造を示し、図７は、第２コネクタ２をセットするためのホルダ構造を示す。図８は、開閉蓋を内側から見た図を示す。
【００３９】
図６において、（ａ）は第１コネクタ１を保持するためのホルダ構造を示す斜視図、（ｂ）は平面図、（ｃ）は側面図、（ｄ）は第１コネクタ１を装着した状態を示している。第１コネクタホルダ５０には、第１コネクタキャップ３を結合した状態で第１コネクタ１を装着することができる。第１コネクタホルダ５０は、ホルダ本体部５０ａと、ホルダ本体部５０ａと一体的に設けられるチューブ支持部５０ｂを備えている。また、ホルダ本体部５０ａの中央には弾性変形可能な係合爪５０ｃが一体形成されている。第１コネクタ１のつまみ部１２がホルダ本体部５０ａに挿入されると、係合爪５０ｃによりつまみ部１２を弾性的に挟持し、装着された第１コネクタ１が第１コネクタホルダ５０内で回転しないように保持される。図６（ｂ）に示すように、ホルダ本体部５０ａの底部には溝５０ｄが形成されており、第１コネクタ１の突出部１２ａがこの溝５０ｄに挿入され、第１コネクタホルダ５０内での第１コネクタ１の回転を確実に阻止する。
【００４０】
また、補助ホルダ５１が設けられており、その内部にチューブ支持部５０ｂが矢印Ｃ方向にスライド可能に挿入される。圧縮コイルスプリング５２が設けられており、第１コネクタホルダ５０が突出する方向に付勢されている。チューブ支持部５０ｂには、第１コネクタ１のチューブ１０が挿入できるようにチューブ収容溝５０ｅ（Ｕ字形）が設けられており、補助ホルダ５１には、チューブ１０が挿入可能なように上部にスリットが設けられる。
【００４１】
ホルダ本体部５０ａの底部には穴５０ｆが形成されており、不図示のイジェクトピンがこの穴５０ｆを介して突出可能に構成されており、一度装着した第１コネクタ１を取り出しやすくしている。なお、イジェクト機構については、後述する。
【００４２】
第１キャップホルダ６０は、第１コネクタキャップ３が装着される。第１コネクタキャップ３は、第１コネクタホルダ５０に近い側に位置する第１本体部６０ａと、遠い側に位置する第２本体部６０ｂを備えており、更に、これら本体部６０ａ，６０ｂの間にスリット６０ｃが形成される。第１本体部６０ａは、その上方から第１コネクタキャップ３を装着できるように上部が開放され、第２本体部６０ｂも一部上部が開放されている。
【００４３】
第１キャップホルダ６０の底部には軸線方向に沿った溝６０ｄが形成され、第１コネクタキャップ３の突出部３０が嵌合し、これにより、第１コネクタキャップ３が第１キャップホルダ６０内で相対的に回転しないように保持される。また、第１本体部６０ａの内部には円周溝６０ｅが形成され、第１コネクタキャップ３の第１フランジ３０ａが嵌入され、第１コネクタキャップ３をその軸線方向に位置決めした状態で取り付け可能にしている。
【００４４】
第１本体部６０ａの底部には穴６０ｆが形成され、第１コネクタホルダ５０と同様に不図示のイジェクトピンが突出可能に構成される。
【００４５】
第２本体部６０ｂの第１本体部６０ａとは反対側に、リング状のガイド溝６１が形成され、更に、第１ギヤ６２が設けられる。第１ギヤ６２と一体的にギヤ軸６２ａが設けられており、このギヤ軸６２ａの軸芯は、第１コネクタ１の軸線とは偏心した位置にある。ガイド溝６１や第１ギヤ６２の機能については後述する。
【００４６】
図８Ａは、開閉蓋６を内側からみた構成を示す斜視図であり、図８Ｂは同じく側面図である。先ほど説明した第１コネクタホルダ５０と補助ホルダ５１は、開閉蓋６の回転軸芯の軸線Ｘ1と同軸の位置に取り付けられる。従って、開閉蓋６を開閉のために回転させると、これに連動して同じ角度だけ第１コネクタホルダ５０と補助ホルダ５１も回転する。かかる構成を採用することで、開閉蓋６の開閉操作に連動して、第１コネクタ１を回転させて第１コネクタキャップ３を緩めること、あるいは、ネジ締結することができる。
【００４７】
第１キャップホルダ６０は、装置本体側に設けられることになるが、軸線Ｘ1と同軸になる位置に設けられる。
【００４８】
図７において、（ａ）は第２コネクタ２を保持するためのホルダ構造を示す斜視図、（ｂ）は平面図、（ｃ）は側面図、（ｄ）は第２コネクタ２を装着した状態を示している。第２コネクタホルダ７０には、第２コネクタキャップ４を結合した状態で第１コネクタ２を装着することができる。
【００４９】
第２コネクタホルダ７０は、第２キャップホルダ４５に近い側に位置する第１本体部７０ａと、遠い側に位置する第２本体部７０ｂと、第１本体部７０ａと第２本体部７０ｂの間に形成されるスリット７０ｃを備えている。第１本体部７０ａは、上方から第２コネクタ２を挿入するために上部が開放され、第２本体部７０ｂも同様に上部が開放されている。
【００５０】
第２コネクタホルダ７０の底部には軸線方向に沿った溝７０ｄが形成され、第２コネクタ２の突出部２１ａが嵌合し、これにより、第２コネクタ２が第２コネクタホルダ７０内で相対的に回転しないように保持される。また、第１本体部７０ａの内部には円周溝７０ｅが形成され、第２コネクタ２の第１フランジ２１ｂが嵌入され、第２コネクタ２をその軸線方向に位置決めした状態で取り付け可能にしている。
【００５１】
第２本体部７０ｂの第１本体部７０ａとは反対側に、リング状のガイド溝７１が形成され、更に、第２ギヤ７２が設けられる。第２ギヤ７２と一体的にギヤ軸７２ａが設けられており、このギヤ軸７２ａの軸芯は、第２コネクタ２の軸線とは偏心した位置にある。ガイド溝７１や第１ギヤ７２の機能については後述する。ガイド溝７１が形成されている部分の上方には、第２コネクタ２のＹ字チューブ２０が挿入可能なように、チューブ２０の幅に対応したスリット７０ｇが形成されている。
【００５２】
ホルダ本体部７０ａの底部には穴７０ｆが形成されており、不図示のイジェクトピンがこの穴７０ｆを介して突出可能に構成されており、一度装着した第２コネクタ２を取り出しやすくしている。
【００５３】
第２キャップホルダ４５は、係合爪４５ａを備えており、第２コネクタキャップ４のつまみ部４０を弾性的に挟持する。また、軸線方向に沿って形成される溝４５ｂを備えており、第２コネクタキャップ４の突出部４０ａが嵌合する。これにより、第２コネクタキャップ４５が第２キャップホルダ４５内で相対的に回転しないように保持される。
【００５４】
第２コネクタホルダ７０及び第２キャップホルダ４５の軸線Ｘ2は、隣接配置される第1コネクタホルダ５０及び第１キャップホルダ６０の軸線Ｘ1と平行であり、かつ所定間隔離れて配置される。
【００５５】
また、第２キャップホルダ４５は、回転も移動もできない状態で装置本体上部に固定される。第２キャップホルダ４５の底部には結合用の爪４５ｃが一体形成されており、この爪４５ｃを利用して装置本体に対して結合される。
【００５６】
第２キャップホルダ４５の底部にも穴４５ｄが形成されており、不図示のイジェクトピンがこの穴４５ｄを介して突出可能に構成されており、一度装着した第２コネクタキャップ４を取り出しやすくしている。
【００５７】
＜内部機構の説明＞
操作部７は、手動による回転操作により回転する部材であり、図１の矢印Ａ1方向に操作すると、第１コネクタ１と第２コネクタ２のコネクタキャップ３，４を夫々外して、第１コネクタ１と第２コネクタ２を連結させることができる。同時に、各コネクタ１，２のコネクタキャップ３，４同士も連結させることができる。
【００５８】
操作部７を矢印Ｂ1方向に操作すると、先ほどとは逆の動作が行なわれ、第１コネクタ１と第２コネクタ２を分離させ、新しいコネクタキャップ３，４を夫々のコネクタ１，２に装着させることができる。
【００５９】
図９Ａ〜図９Ｄは、上記脱着を行なうためのホルダ駆動機構を示す図である。図９Ａは、ホルダ駆動機構を底面側から見た図である。ホルダ駆動機構を上方から見た図は、図５に一部示されている。図９Ｂは、斜め下方から見た斜視図である。図９Ｃは、軸線方向の一方から見た図であり、図９Ｄは軸線方向の他方から見た図である。
【００６０】
図９において、操作軸２５は、操作部７に連結されており、操作部７の回転操作に連動して回転する。この操作軸２５に、ベベルギヤ２６が一体結合されている。また、軸線Ｘ1とＸ2のちょうど中点に軸線Ｘ3が設定されており、この軸線Ｘ3周りに回転可能な円筒カム２７が設けられる。円筒カム２７の円周面に沿ってカム溝２７ａが形成されている。
【００６１】
また、円筒カム２７と一体回転可能に取り付けられたベベルギヤ２８と部分ギヤ２９が設けられている。ベベルギヤ２８は、ベベルギヤ２６と回転軸芯が直交する状態で噛み合っており、従って、操作部７を回転すると、円筒カム２７と共にベベルギヤ２８と部分ギヤ２９も一緒に回転する。ベベルギヤ２６、円筒カム２７、ベベルギヤ２８、部分ギヤ２９は、回転はできるが軸線方向に沿って移動することはできない。
【００６２】
ホルダ支持体８０は、本体ケース５に取り付けられる駆動軸８１に対して軸線方向Ｘ3に沿って移動可能に構成される。ホルダ支持体８０には、カム溝２７ａに係合するカムピン（図には表れていない）が植設されている。従って、円筒カム２７を回転することで、カムピンがカム溝２７ａに沿って移動するため、ホルダ支持体８０が軸線にＸ3沿って移動可能になる。ただし、ホルダ支持体８０は軸線Ｘ3周りに回転することはできない。
【００６３】
ホルダ支持体８０の軸線方向の一端部にはガイド体８０ａが一体的に設けられており、このガイド体８０ａがガイド溝６１，７１に嵌合している。これにより、第１キャップホルダ６０と第２コネクタホルダ７０は、軸線Ｘ3周りにスムーズに回転可能となっている。
【００６４】
駆動軸８１は、その両端部が装置本体に回転可能な状態で軸支されている。この駆動軸８１の一端部には、連結ギヤ８１ａが結合されており、この連結ギヤ８１ａは部分ギヤ２９と噛み合うことができる。部分ギヤ２９は、図９Ｃに示すように、全周に歯がなく、円周方向の一部の領域のみにギヤ形成部２９ａが設けられている。連結ギヤ８１ａは、軸線Ｘ3に沿って移動できるため、部分ギヤ２９と連結ギヤ８１ａが軸線方向で同じ位置にあるときにのみ、連結ギヤ８１ａと部分ギヤ２９が噛み合うことができる。
【００６５】
駆動軸８１の他端側には、ガイド体８０ａに隣接して駆動ギヤ８１ｂが結合されている。これにより、部分ギヤ２９と噛み合った連結ギヤ８１ａが回転すると、駆動ギヤ８１ｂも一緒に回転できる。
【００６６】
図９Ｄは、一部の部品（ギヤホルダ８４など）を除去した状態で図示しているが、駆動ギヤ８１ｂは第１ギヤ６２と第１中間ギヤ８２を介して連結され、第２ギヤ７２とは第２中間ギヤ８３を介して連結される。また、図９Ｂにも示すように、ギヤホルダ８４が設けられており、駆動軸８１に対して一体的に結合されると共に、第１ギヤ６２のギヤ軸６２ａ、第２ギヤ７２のギヤ軸７２ａ、第１中間ギヤ８２、第２中間ギヤ８３を軸支している。これらギヤホルダ８４により支持される５枚のギヤを説明の便宜上ギヤユニットと称する。
【００６７】
かかる構成によれば、駆動軸８１が回転すると、ギヤホルダ８４も回転するため、軸線周りに第１キャップホルダ６０と第２コネクタホルダ７０が回転する。回転角度は１８０゜になるように設定されている。また、ギヤユニットを設けているため、第１キャップホルダ６０と第２コネクタホルダ７０は、その支持姿勢を変えないまま（第１コネクタキャップ３と第２コネクタ４が上方に位置したまま）１８０゜回転させられることになる。
【００６８】
＜ロック機構＞
次に、開閉蓋６のロック機構と操作部７のロック機構について図１０により説明する。図１０（ａ）は開閉蓋６に取り付けられているロック機構の一部を示す平面図であり、図１０（ｂ）は、ロック機構の構成を示す側面図である。
【００６９】
開閉蓋６側にはロックレバー９０が水平方向にスライド移動可能に取り付けられており、図１０（ｂ）はロックした状態を示している。ロックレバー９０には、係合爪９０ａが一体形成されており、本体ケース５側に設けられた被係合部５ｂに係合することで開閉蓋６の開放を阻止する。
【００７０】
本体ケース５側には、中継レバー９１と操作ロック部材９２が設けられている。中継レバー９１は軸芯９１ａ周りに揺動可能に軸支されている。操作ロック部材９２は垂直方向にスライド移動可能であり、スプリング９３により垂直下方向に付勢されている。スプリング９３は、操作ロック部材９２上に植設されたピン９２ａと、本体ケース５の操作部に植設されたバネ支持ピン５ｃの間に引っ掛けられている。また、中継レバー９１と操作ロック部材９２は、連動して動作するように結合されている。
【００７１】
操作部７の操作軸２５に連結されたロック板９４には、２つの係合溝９４ａ，９４ｂが形成されている。これら係合溝９４ａ，９４ｂに、操作ロック部材９２の係合突起９２ｂが係合可能に構成される。この２つの係合溝９４ａ，９４ｂは、操作部７の操作角度（１４５゜）に対応して形成されている。
【００７２】
図１０（ｃ）は、開閉蓋6を開いた状態を示しており、ロックレバー９０の係合爪９０ａが上方に退避しているため、中継レバー９１はフリーの状態となる。そのため、スプリング９３の付勢力により、操作ロック部材９２は下方向に付勢されて、係合突起９２ｂがいずれかの係合溝９４ａ，９４ｂに係合可能になる。これにより、開閉蓋６が開いた状態で、操作部７が操作されることを禁止する。
【００７３】
また、操作部７による操作を行なっている間は、係合突起９２ｂがロック板９４の外周面９４ｃに位置し、これにより、開閉蓋６のロックレバー９０のスライド移動が阻止される。従って、操作中は開閉蓋６が不用意に開かないように構成されている。
【００７４】
操作部７は、第１位置から第２位置へと回転操作可能であり、その間の操作角度は１４５゜である。また、操作部７の回転操作に連動して内部の円筒カム２７が回転するが、円筒カム２７に形成されるカム溝の角度はトータルで３００゜となっている。図１１は、カム溝２７ａを展開して示す図である。操作部７及び円筒カム２７の操作領域は、第１操作領域Ｓ１、第２操作領域Ｓ２，第３操作領域Ｓ３の３つの領域に分けることができる。角度配分は、Ｓ１＝Ｓ３＝１０５゜，Ｓ２＝９０゜である。
【００７５】
操作部７の往動作において、第１操作領域Ｓ１は、第１コネクタ１と第１コネクタキャップ３、第２コネクタ２と第２コネクタキャップ４を夫々引き離す工程、第２操作領域Ｓ２は、引き離された第１コネクタキャップ３と第２コネクタ２を軸線Ｘ3周りに１８０゜回転させる工程、第３領域操作Ｓ３は、第1コネクタ1と第２コネクタ２、第１コネクタキャップ３と第２コネクタキャップ４をそれぞれ近接させる工程である。操作部７の復動作においては、上記とは逆の工程が行なわれる。
【００７６】
＜イジェクト機構＞
次に、イジェクト機構を図１７及び図５により説明する。イジェクト機構は、第１コネクタキャップ３が装着された第１コネクタ１や、第２コネクタキャップ４がされた第２コネクタ２をホルダから取り出しやすくするための機構である。ホルダに装着された各コネクタ１，２やコネクタキャップ３，４は、手で引っ張りあげることでホルダから脱出させることができる。しかし、患者の中には、眼や手の不自由な患者もいるため、かかる操作は必ずしも簡易な操作ではない。そこで、イジェクト機構を設けることで、コネクタやコネクタキャップの取り出しを容易にしている。
【００７７】
図１７Ａは、イジェクト機構をホルダの下部から見た斜視図である。図１７Ｂは、イジェクト機構をホルダの下部から見た底面図である。図１７Ｃは、イジェクト機構を軸線方向から見た図である。
【００７８】
手動操作を行なうための操作ボタン４６が設けられており、下方に押すことができる。この操作ボタン４６は、不図示のバネにより、常時、上方向に付勢されている。この操作ボタン４６は、第１伝達部材４６ａと第２伝達部材４６ｂが一体的に形成されている。第１伝達部材４６ａには、支持軸４６ｃにより第１イジェクト部材４７（第１イジェクト手段に相当）が軸支されている。第２伝達部材４６ｂには、支持軸４６ｄにより第２イジェクト部材４８（第２イジェクト手段に相当）が軸支されている。
【００７９】
第１伝達部材４７には、第１突出部４７ａと第２突出部４７ｂ（これらはイジェクトピンに相当）が一体形成され、夫々、第１コネクタホルダ５０に形成された穴５０ｆと第１キャップホルダ６０に形成された穴６０ｆに出退可能である。また、第１伝達部材４７は回転軸芯４７ｃ周りに回転可能である。従って、支持軸４６ｃにおいても、この回転を許容できるような形で軸支される。
【００８０】
第１伝達部材４８には、第３突出部４８ａと第４突出部４８ｂ（これらはイジェクトピンに相当）が一体形成され、夫々、第２コネクタホルダ７０に形成された穴７０ｆと第２キャップホルダ４５に形成された穴４５ｄに出退可能である。また、第１伝達部材４８は回転軸芯４８ｃ周りに回転可能である。従って、支持軸４６ｄにおいても、この回転を許容できるような形で軸支される。
【００８１】
次に、イジェクト機構の動作を説明する。操作ボタン４６を押圧すると、第１イジェクト部材４７と第２イジェクト部材４８は、同時に、回転軸芯４７ｃ，４８ｃ周りに回転する。これにより、第１突出部４７ａと第２突出部４７ｂは、第１コネクタホルダ５０及び第１キャップホルダ６０内に突出する。この動作と同時に、第３突出部４８ａと第４突出部４８ｂは、第２コネクタホルダ７０及び第２キャップホルダ４５内に突出する。この状態を図１７Ｄに示す。これにより、第１コネクタ１や第２コネクタ２などを容易にホルダから取り出すことができる。
【００８２】
＜コネクタの着脱操作＞
次に、本実施形態に係る医療用コネクタの手動式脱着装置によるコネクタの着脱操作について、図１２に基づいて説明する。
【００８３】
＜１．コネクタのセット→蓋閉鎖＞
まず、手動脱着装置の開閉蓋６を開放する。開閉蓋６の開放角度はちょうど９０゜の状態である。図５に示す状態において、第１コネクタキャップ３が結合された第１コネクタ１をそれぞれ第１キャップホルダ６０と第１コネクタホルダ５０に装着する。一方、第２コネクタキャップ４が結合された第２コネクタ２を夫々第２キャップホルダ４５と第２コネクタホルダ７０に装着する（図１２Ａ参照）。このとき、操作部７は第１位置にあり、開閉蓋６が開いているため、ロック機構により動かないようにロックされている。
【００８４】
次に、開閉蓋６を閉鎖していくと、開閉蓋６は軸線Ｘ1周りに回転する。これに伴い、第１コネクタホルダ５０及び補助ホルダ５１も軸線Ｘ1周りに回転する。回転角度は開閉蓋６と同じであり、開閉蓋６を閉めるまでに第１コネクタホルダ５０及び補助ホルダ５１は９０゜回転する。従って、これに装着された第１コネクタ１が９０゜回転する。
【００８５】
第１コネクタ１を９０゜回転させていくと、第１コネクタ１と第１コネクタキャップ３の結合が緩み始め、図１で示したように、コネクタキャップ３の係合突起３１が第１コネクタ１のカム溝１５から離脱する。この時、第１コネクタ１は軸線Ｘ1に沿って第１コネクタキャップ３から離間しようとするため、第１コネクタホルダ５０は圧縮コイルスプリング５２の付勢力に抗して後退する。これにより、第１コネクタ１から第１コネクタキャップ３を引き離す準備が整ったことになる。
【００８６】
また、開閉蓋６を閉じると、ロックレバー９０の係合爪９０ａが中継レバー９１を下方に押して中継レバー９１を回転させる。これにより、操作ロック部材９２が上方にスライド移動させられ、係合突起９２ｂがロック板９４の係合溝９４ｂから離脱する。これにより、操作部7を回転操作できる状態になる。また、ロックレバー９０をスライドさせて、開閉蓋６が不用意に開放しないようにする。
【００８７】
＜２．第1操作領域＞
次に、操作部７を第1位置から徐々に回転させていく（矢印Ａ1方向）。操作部７の回転により操作軸２５及びベベルギヤ２６が回転する。ベベルギヤ２６の回転は、これに噛み合うベベルギヤ２８に伝達され、円筒カム２７を回転させる。円筒カム２７の回転により、カム溝２７ａに係合しているホルダ支持体８０のカムピンがカム溝２７ａに沿って移動する。
【００８８】
これにより、ホルダ支持体８０が軸線Ｘ3に沿って矢印Ｄ方向に移動する（図９Ａ、図１３（ａ）参照）。この移動に伴い、第1キャップホルダ６０と第２コネクタホルダ７０も同じ方向に移動する。また、連結ギヤ８１ａも同じ方向に移動する。ギヤホルダ８４に支持されるギヤユニットも同じ方向に移動する。
【００８９】
この移動により、第１コネクタ１と第１コネクタキャップ３は互いに引き離されていくことになる。第１コネクタ１と第１コネクタキャップ３は、予めネジ結合を緩めており、スムーズに両者を引き離すことができる。これと同時に、第２コネクタ２と第２コネクタキャップ４も互いに引き離される。第２コネクタ２と第２コネクタキャップ４はネジ結合ではなく、第２コネクタ２を矢印Ｄ方向に単に移動させることで、係合爪４１が係合溝３２から離脱し（図２（ｄ）参照）、両者を分離させることができる。図１２Ｂは、その時の状態を示す平面図である。
【００９０】
図１３は、第１操作領域Ｓ１における内部機構の動きを説明する図であり、図１３（ａ）は下方から見た斜視図、（ｂ）は軸線方向視の図である。図９Ｄは操作部７による操作を開始する前（第１位置）の状態であり、部分ギヤ２９と連結ギヤ８１ａは、軸線Ｘ3方向においてずれた位置にあるが、カム溝２７ａとカムピンの作用によりホルダ支持体８０が軸線Ｘ3方向（矢印Ｄ方向）に移動することで、連結ギヤ８１ａが連結ギヤ２９の方向に近づいてくる。図１３は、第１操作領域Ｓ１の操作完了状態を示しており、軸線Ｘ3方向において、連結ギヤ８１ａと連結ギヤ２９がちょうど同じ位置になる。
【００９１】
更に、部分ギヤ２９ａが回転していき、第１操作領域Ｓ１の終了時では、部分ギヤ２９ａが連結ギヤ８１ａに噛み合う直前の状態となる（図１３（ｂ）参照）。この時、円筒カム２７は１０５゜回転した状態である（図１１のカム線図参照）。
【００９２】
＜３．第２操作領域＞
更に、操作部７を回転させていくと第２操作領域Ｓ２へと入る。この時、連結ギヤ８１ａと連結ギヤ２９が噛み合うため、連結ギヤ８１ａが回転させられる。これに連動して、駆動軸８１及びギヤホルダ８４も回転する。この時の様子を図１４に示す。
【００９３】
ギヤホルダ８４は軸線Ｘ3周りに矢印Ａ3方向に回転する。また、第２操作領域Ｓ２では、ホルダ支持体８０のカムピンが係合するカム溝２７ａは、変位の変動がないため（図１１参照）、ホルダ支持体８０は軸線Ｘ3方向に沿って移動せず、停止した状態となる。ギヤホルダ８４の回転に伴い、それに支持される第１キャップホルダ６０と第２コネクタホルダ７０も共に同じ方向に回転する。これにより、第１コネクタキャップ３と第２コネクタ２が軸線Ｘ3周りに回転させられる。図１４Ａ（下方から見た斜視図），１４Ｂ（上方から見た斜視図）は回転動作の途中を示している。
【００９４】
また、駆動軸８１の回転により駆動ギヤ８１ｂも回転するので、第１・第２中間ギヤ８２，８３を介して、第１ギヤ６２と第２ギヤ７２も回転する。この第１ギヤ６２と第２ギヤ７２の回転により、第１キャップホルダ６０と第２コネクタホルダ７０は、軸線Ｘ3周りに回転しながら、同時にギヤ軸６２ａ，７２ａ周りにも自転する。これにより、第１キャップホルダ６０と第２コネクタホルダ７０は、同じ水平姿勢を維持しながら回転することになり、第１コネクタキャップ３と第２コネクタ２も最初に装着したときの姿勢を維持しながら回転させられる。
【００９５】
また、第２コネクタ２の回転によりこれに連結されたＹ字チューブ２０も一緒に回転するが、図１で説明したように、本体ケース５と開閉蓋６には円弧状のスリットＳが形成されており、このスリットＳに沿ってＹ字チューブ２０が移動することができる。これにより、第２コネクタ２の移動を支障なく行なうことができる。
【００９６】
図１５Ａ，Ｂは、第２操作領域Ｓ２における操作を完了した状態を示しており、ギヤホルダ８４などが１８０゜回転した状態である。この時、第２コネクタホルダ７０と第１コネクタホルダ５０が向かい合っており、第１キャップホルダ６０と第２キャップホルダ４５が向かい合っている。これにより、第１コネクタ１と第２コネクタ２を連結する準備と、第１コネクタキャップ３と第２コネクタキャップ４を連結する準備が整ったことになる。
【００９７】
＜３．第３操作領域＞
更に、操作部７を回転していくと、第３操作領域Ｓ３へと入る。この時、部分ギヤ２９のギヤ形成部２９ａは、連結ギヤ８１ａとの噛み合いから外れる。従って、これ以上連結ギヤ８１ａは回転することはなく、ギヤホルダ８４や駆動ギヤ８１ｂなどの回転も停止する。
【００９８】
また、ホルダ支持体８０のカムピンは円筒カム２７のカム溝２７ａの第３操作領域Ｓ３に係合することになり、これに伴い、ホルダ支持体８０は軸線Ｘ3に沿って矢印Ｅ方向に移動する。この移動方向は、第1操作領域Ｓ１における方向Ｄと全く逆である。ホルダ支持体８０の移動と共に、第１キャップホルダ６０と第２コネクタホルダ７０も軸線Ｘ3に沿って移動する。従って、第２コネクタ２は第１コネクタ１の方向に近づいていき、第１コネクタキャップ３は第２コネクタキャップ４の方向に近づいていく。
【００９９】
第３操作領域Ｓ３における操作が完了した状態を図１６の平面図に示す。第１コネクタ１が第２コネクタ２に挿入された状態となっている。この時、第２コネクタ２の係合突起２３が、第１コネクタ１のカム溝１５に挿入可能な状態となっている。従って、この段階では第１コネクタ１と第２コネクタ２のネジ結合は完了していない。
【０１００】
一方、第１コネクタキャップ３は第２コネクタキャップ４内に挿入され、両者の結合は完了した状態となる。この結合状態は、図２（ｄ）にも示した通りである。この時、操作部７は第１位置から第２位置へと移動し、往時における動作が完了する。また、操作部７の動きと連動して、ロック板９４も回転し、その係合溝９４ａが操作ロック部材９２の係合突起９２と係合可能な位置に移動している。ただし、開閉蓋６を開くまでは係合しない。
【０１０１】
＜蓋開放＞
次に、開閉蓋６を開く。これにより、第１コネクタホルダ５０と補助ホルダ５１が開閉蓋６を閉じる時とは逆方向に回転する。回転角度は９０゜であり、これにより、第１コネクタ１も９０゜回転し、第１コネクタ１と第２コネクタ２のネジ結合が完了する。
【０１０２】
以上のように、第１コネクタ１と第２コネクタ２が連結されると、この連結状態で、空の排液バッグに患者の腹腔内に貯留した透析液を排出する。そして、不図示のバルブを切り換えることで、透析液バッグ内の透析液を腹腔内に注入する。
【０１０３】
また、結合されたコネクタキャップ３，４を取り出して、新しいコネクタキャップ３，４を結合させた状態で第１キャップホルダ６０と第２キャップホルダ４５に挿入しておく。
【０１０４】
透析液の交換が終了すると、開閉蓋５を再び閉じて、今度は、操作部７をこれまでとは逆方向に回転させる（復動作）。部材の回転方向は、Ｂ1、Ｂ2、Ｂ3により示されている。これにより、先ほど説明した動作を逆方向にたどり、図５に示す最初のセット状態に戻る。この時、第１コネクタ１には新しい第１コネクタキャップ３が被せられ、第２コネクタ２にも新しい第２コネクタキャップ４が被せられる。その後、操作ボタン４６（イジェクト操作部に相当）を操作して、第１コネクタ１及び第２コネクタ２を取り出すことができる。
【０１０５】
開閉蓋６の軸線Ｘ1に設けられる第１コネクタホルダ５０、補助ホルダ５１などは、第１コネクタ１を軸線周りに回転させて、第１コネクタ１と第１コネクタキャップ３の結合を緩めるためのコネクタ回転手段に相当する。
【０１０６】
補助ホルダ５１、圧縮コイルスプリング５２（ホルダ付勢手段に相当）は、第１コネクタホルダ５０を回転軸芯の方向に移動することを許容する第１コネクタホルダ移動手段に相当する。
【０１０７】
＜別実施形態＞
イジェクト機構の構成は、本実施形態に示される形態に限定されるものではない。例えば、本実施形態では１つの操作ボタンにより、同時にイジェクトするように構成しているが、第１コネクタ用と第２コネクタ用に別々にイジェクト機構を設けてもよい。
【０１０８】
操作部７や円筒カム２７のカム溝２７ａの操作角度については、本実施形態に限定されるものではなく、使い勝手等を考慮して、適宜決めることができる。また、第１・第２・第３操作領域Ｓ１，Ｓ２，Ｓ３を全操作範囲の中で何度ずつ割り振るかについても、適宜決めることができる。また、操作部７の操作方向について、図１における矢印Ａ1を往動作とするか復動作とするかについても適宜選択することができる。
【０１０９】
本実施形態では、第１コネクタキャップ３と第２コネクタ２をホルダで支持して回転するようにしているが、第１コネクタ１と第２コネクタキャップ４の方を回転させるようにしてもよい。この場合、第１コネクタ１と第１コネクタキャップ３を離脱させるときは、第１コネクタキャップ３の方を回転させるようにすることが好ましい。
【０１１０】
本実施形態では、第１コネクタ１に対する挿脱はネジ式（回転操作と直線操作）であり、第２コネクタ２に対する挿脱は直線操作のみであるが、第２コネクタ２に対する挿脱を第１コネクタ１と同様にネジ式を採用してもよい。
【０１１１】
本実施形態では、開閉蓋６の回転角度は９０゜となっているが、これに限定されるものではない。例えば、９０゜以上の大きな開閉角度としてもよい。この場合、第１コネクタホルダ５０や補助ホルダ５１の回転角度は９０゜にする必要があるため、角度を調整する機構（中間ギヤなどを介在させる）を設けるようにする。
【図面の簡単な説明】
【０１１２】
【図１】コネクタの構成を示す図
【図２】コネクタの結合状態を示す図
【図３】手動脱着装置の外観構成を示す斜視図
【図４】手動脱着装置の開閉蓋を開いた状態を示す斜視図
【図５】手動脱着装置の開閉蓋を開いた状態を示す平面図
【図６】第１コネクタのためのホルダ構造を示す図
【図７】第２コネクタのためのホルダ構造を示す図
【図８Ａ】開閉蓋の内側を示す斜視図
【図８Ｂ】開閉蓋の構成を示す側面図
【図９Ａ】ホルダ駆動機構を示す図
【図９Ｂ】ホルダ駆動機構を示す図
【図９Ｃ】ホルダ駆動機構を示す図
【図９Ｄ】ホルダ駆動機構を示す図
【図１０】ロック機構を説明する図
【図１１】円筒カムのカム溝を展開した図
【図１２Ａ】手動脱着装置の動作を説明する平面図（コネクタセット）
【図１２Ｂ】手動脱着装置の動作を説明する平面図（コネクタ分離）
【図１３】手動脱着装置の内部機構の動作を説明する図（部分ギヤの動作）
【図１４Ａ】手動脱着装置の内部機構の動作を説明する図（コネクタ回転）
【図１４Ｂ】手動脱着装置の内部機構の動作を説明する図（コネクタ回転）
【図１５Ａ】手動脱着装置の内部機構の動作を説明する図（コネクタ回転完了）
【図１５Ｂ】手動脱着装置の内部機構の動作を説明する図（コネクタ回転完了）
【図１６】手動脱着装置の動作を説明する平面図（コネクタ結合完了）
【図１７Ａ】イジェクト機構をホルダ下方から見た斜視図
【図１７Ｂ】イジェクト機構をホルダ下方から見た底面図
【図１７Ｃ】イジェクト機構を軸線方向から見た図
【図１７Ｄ】イジェクト機構を作動させた状態を示す図
【図１８】従来技術に係るコネクタの挿脱を説明する図
【符号の説明】
【０１１３】
１        患者側コネクタ（第１コネクタ）
２        透析液側コネクタ（第２コネクタ）
３        第１コネクタキャップ
４        第２コネクタキャップ
５        本体ケース
６        開閉蓋
７        操作部
２７      円筒カム
２７ａ    カム溝
２９      円筒カム
４５      第２キャップホルダ
４５ｄ    穴
４６      操作ボタン
４６ａ    第１伝達部材
４６ｂ    第２伝達部材
４７      第１イジェクト部材
４７ａ    第１突出部
４７ｂ    第２突出部
４８      第２イジェクト部材
４８ａ    第３突出部
４８ｂ    第４突出部
５０      第１コネクタホルダ
５０ａ    ホルダ本体部
５０ｆ    穴
５１      補助ホルダ
５２      圧縮コイルスプリング
６０      第１キャップホルダ
６０ｆ    穴
７０      第２コネクタホルダ
７０ｆ    穴
８０      ホルダ支持体
８１      駆動軸
８１ａ    連結ギヤ
８４      ギヤホルダ
Ｓ１      第１操作領域
Ｓ２      第２操作領域
Ｓ３      第３操作領域
【図１】
0004479915.tif 000002
【図２】
0004479915.tif 000003
【図３】
0004479915.tif 000004
【図４】
0004479915.tif 000005
【図５】
0004479915.tif 000006
【図６】
0004479915.tif 000007
【図７】
0004479915.tif 000008
【図８Ａ】
0004479915.tif 000009
【図８Ｂ】
0004479915.tif 000010
【図９Ａ】
0004479915.tif 000011
【図９Ｂ】
0004479915.tif 000012
【図９Ｃ】
0004479915.tif 000013
【図９Ｄ】
0004479915.tif 000014
【図１０】
0004479915.tif 000015
【図１１】
0004479915.tif 000016
【図１２Ａ】
0004479915.tif 000017
【図１２Ｂ】
0004479915.tif 000018
【図１３】
0004479915.tif 000019
【図１４Ａ】
0004479915.tif 000020
【図１４Ｂ】
0004479915.tif 000021
【図１５Ａ】
0004479915.tif 000022
【図１５Ｂ】
0004479915.tif 000023
【図１６】
0004479915.tif 000024
【図１７Ａ】
0004479915.tif 000025
【図１７Ｂ】
0004479915.tif 000026
【図１７Ｃ】
0004479915.tif 000027
【図１７Ｄ】
0004479915.tif 000028
【図１８】
0004479915.tif 000029